(57)【要約】      （修正有）【課題】遊技機の盤面を構成する化粧板に曲面鏡シートを採用した遊技機において、より多様な装飾を施す。【解決手段】正面側に化粧板２０が配位され、化粧板２０が、凸面鏡として光を反射する反射鏡セグメントが縦横に複数配列された曲面鏡シート２９を含む遊技機で、化粧板２０は、曲面鏡シート２９と、光調整層３０と、光調整層３０の正面側に積層された透光性シート層２８とを備える。化粧板２０の一部に、透視部４１が設けられ、透視部４１においては、曲面鏡シート２９及び光調整層３０が設けられておらず、透光性シート層２８を含む透明素材によって構成されている。透視部４１の背面側に発光体４２などの装飾効果を有するものを配置する。【選択図】図２
2014079468.tif 000002
【特許請求の範囲】
【請求項１】
正面側に化粧板が配位され、
前記化粧板が、凸面鏡として光を反射する反射鏡セグメントが縦横に複数配列された曲面鏡シートを含む遊技機において、
前記化粧板は、前記曲面鏡シートと、前記曲面鏡シートの正面側に積層された印刷による光調整層と、前記光調整層の正面側に積層された透光性シート層とを備えたものであり、
前記化粧板の一部に、透視部が設けられ、
前記透視部は、前記曲面鏡シート及び前記光調整層がなく、前記透光性シート層を含む透明素材によって構成され、
前記透視部の背面側が見えるようにしたことを特徴とする遊技機。
【請求項２】
前記透視部の背面側に装飾部が設けられ、
前記装飾部は、前記透光性シート層の背面に貼られた装飾用シートと、前記透光性シート層の背面側に配置された発光体と、前記透光性シート層の背面側に配置された装飾物とからなる群から選択された少なくとも１種であることを特徴とする請求項１記載の遊技機。
【請求項３】
前記光調整層と前記透光性シート層とは、両者の間に介在する接着剤層によって接着されたものであり、
前記透視部においては、前記接着剤層と前記透光性シート層との間に剥離層が形成され、前記化粧板の背面側から前記剥離層に達する刃物で、少なくとも前記接着剤層よりも背面側の部位が取り除かれたものであることを特徴とする請求項１又は２記載の遊技機。
【請求項４】
前記曲面鏡シートは、透明合成樹脂シートと、前記透明合成樹脂シートの凹凸を有する背面に蒸着された金属反射層とを備え、
前記接着剤層は、ＵＶ接着剤であり、
前記剥離層は、前記ＵＶ接着剤に対して接着性がない透明インキであることを特徴とする請求項３記載の遊技機。
【請求項５】
前記化粧板の背面に支持板を備え、
前記支持板は、前記透視部の背面側において、空白部を備え、
前記空白部においては、前記支持板が取り除かれるか、透明素材によって構成されており、前記透視部及び前記空白部から背面側が見えるようにしたことを特徴とする請求項１〜４の何れかに記載の遊技機。
【請求項６】
前記化粧板の背面に支持板を備え、
前記支持板は、肉厚の透光性シート層によって構成されていることを特徴とする請求項１〜５の何れかに記載の遊技機。
【請求項７】
遊技機の正面に配置される化粧板であって、凸面鏡として光を反射する反射鏡セグメントが縦横に複数配列された曲面鏡シートを含む化粧板を製造する方法において、
前記曲面鏡シートの正面側に光調整層を形成する印刷工程と、
前記光調整層の正面側に透光性シート層を接着剤層によって貼り付ける接着工程と、
前記化粧板の一部に透視部を形成する工程とを備え、
前記透視部を形成する工程は、前工程と後工程とを含み、
前記前工程は、前記接着工程の前に、前記透視部を形成する位置にて、前記接着剤層の正面側に剥離層を形成することによって、前記接着剤層と前記透光性シート層との間に剥離層を配置できるようにする工程であり、
前記後工程は、前記接着工程の後に、前記透視部を形成する位置にて、前記化粧板の背面側から前記剥離層に達する刃物で、少なくとも前記接着剤層よりも背面側の部位を取り除く工程であることを特徴とする遊技機用化粧板の製造方法。
【発明の詳細な説明】
【技術分野】
【０００１】
本発明は、パンチコ遊技機やスロットマシン遊技機などの遊技機の改良に関するものである。
【背景技術】
【０００２】
平面状の装飾体に、フルネルレンズ等の反射鏡セグメントが縦横に複数配列された曲面鏡シートを用いることが、特許文献１に開示されており、本願出願人は、特許文献２に示すように、この曲面鏡シートを遊技機の盤面を構成する化粧板に採用することに関して出願を行い、特許を取得している。本発明者は、特許文献２に示されるように、曲面鏡シートを遊技機の盤面に採用することによって、華燭性を高めることに成功したものであるが、遊技機の盤面にさらに多様な装飾性を付加する研究を進めている。
【先行技術文献】
【特許文献】
【０００３】
【特許文献１】特開２０１０−１５８３７８号公報
【特許文献２】特開２００６−１５９６６７号公報
【発明の概要】
【発明が解決しようとする課題】
【０００４】
本発明は、遊技機の盤面を構成する化粧板に曲面鏡シートを採用した遊技機において、より多様な装飾を施すことを課題とする。
【課題を解決するための手段】
【０００５】
本発明は、正面側に化粧板が配位され、前記化粧板が、凸面鏡として光を反射する反射鏡セグメントが縦横に複数配列された曲面鏡シートを含む遊技機において、前記化粧板は、前記曲面鏡シートと、前記曲面鏡シートの正面側に積層された印刷による光調整層と、前記光調整層の正面側に積層された透光性シート層とを備えたものであり、
前記化粧板の一部に、透視部が設けられ、前記透視部は、前記曲面鏡シート及び前記光調整層がなく、前記透光性シート層を含む透明素材によって構成され、前記透視部の背面側が見えるようにした遊技機を提供する。
【０００６】
（背面の装飾）前記透視部の背面側には、装飾部を設けることができる。前記装飾部の具体的手段としては、前記透光性シート層の背面に貼られた装飾用シートであってもよく、前記透光性シート層の背面側に配置された発光体であってもよく、前記透光性シート層の背面側に配置された装飾物であってもよい。そして、これらの前記装飾部の具体的手段は、単独でも用いてもよく、複数を組み合わせ実施してもよい。
【０００７】
（接着剤層と剥離層）前記光調整層と前記透光性シート層とは、両者の間に介在する接着剤層によって接着されたものであり、前記透視部においては、前記接着剤層と前記透光性シート層との間に剥離層が形成され、前記化粧板の背面側から前記剥離層に達する刃物で、少なくとも前記接着剤層よりも背面側の部位が取り除かれたものとして実施できる。
【０００８】
（ＵＶ接着剤と透明インキ）前記曲面鏡シートは、透明合成樹脂シートと、前記透明合成樹脂シートの凹凸を有する背面に蒸着された金属反射層とを備える。前記接着剤層は、ＵＶ接着剤であり、前記剥離層は、前記ＵＶ接着剤に対して接着性がない透明インキとして実施することが最適である。
【０００９】
（支持板）前記化粧板の背面には、通常の化粧板と同様、支持板を備える。前記支持板は、前記透視部の背面側において、空白部を備える。前記空白部においては、前記支持板が取り除かれるか、透明素材によって構成されており、前記透視部及び前記空白部から背面側が見えるようにして実施することができる。
また、前記支持板を、肉厚の透光性シート層によって構成することも効果的である。
【００１０】
（製造方法）
本発明の化粧板は、前記曲面鏡シートの正面側に光調整層を形成する印刷工程と、前記光調整層の正面側に透光性シート層を接着剤層によって貼り付ける接着工程と、前記化粧板の一部に透視部を形成する工程とで製造することができる。前記透視部を形成する工程は、前工程と後工程とを含むものである。前記前工程は、前記接着工程の前に、前記透視部を形成する位置にて、前記接着剤層の正面側に剥離層を形成することによって、前記接着剤層と前記透光性シート層との間に剥離層を配置できるようにする工程であり、前記後工程は、前記接着工程の後に、前記透視部を形成する位置にて、前記化粧板の背面側から前記剥離層に達する刃物で、少なくとも前記接着剤層よりも背面側の部位を取り除く工程である。
【発明の効果】
【００１１】
本発明は、遊技機の盤面を構成する化粧板に曲面鏡シートを採用した遊技機において、透視部を設けることによって、曲面鏡シートによる装飾効果とは質的にことなる装飾効果を付加することができ、より多様な装飾を施すことが可能となったものである。
【図面の簡単な説明】
【００１２】
【図１】本発明の実施の形態に係る遊技機の正面図である。
【図２】同遊技機の化粧板の断面図である。
【図３】同化粧板の透光性樹脂層の正面図である。
【図４】同化粧板の製造工程を示す断面図である。
【図５】本発明の他の実施の形態に係る遊技機の化粧板の断面図である。
【図６】本発明のさらに他の実施の形態に係る遊技機の化粧板の断面図である。
【発明を実施するための形態】
【００１３】
以下、図面に基づき本発明の実施の形態を説明する。
（概要）
図１に示すパチンコ遊技機１１は、遊技球が転動可能な遊技領域１２を有する遊技台１３と、上記遊技台１３に設けられ遊技球が入賞可能な入賞口１４と、遊技台１３の略中央に配置された窓部１５とを備え、この窓部１５に可変表示部１６が配位されている。この可変表示部１６は、入賞口１４への遊技球の入球に応じて表示が変化するもので、液晶表示などの光学的表示の他、回転ドラムの回転等による機械的動きによって表示が変化するものであってもよい。また、スロットマシーン遊技機であってもよく、その場合には、可変表示部１６に回転ドラムやその映像が表示される。
【００１４】
この遊技台１３の少なくとも遊技領域１２の表面は、窓部１５などを除いて化粧板２０によって構成されている。この化粧板２０は、図２に示すように、合板などの支持板３１の表面に接着剤３２を介して貼り付けている。
【００１５】
この化粧板２０は、背面側から正面側に向けて（図２の右から左に向けて）、台紙２１、接着剤２２、反射層２３、透光性樹脂層２４、遮光性インキ層２５、着色インキ層２６、接着剤２７、透光性シート層２８の順に積層されている。
台紙２１は、紙製などの適宜材質で形成され、支持板３１への接着性を良好にするために設けられたものであり、省略して実施することもできる。
【００１６】
この台紙２１の正面側に、反射層２３と透光性樹脂層２４からなる曲面鏡シート２９が、接着剤２２を介して貼り付けられている。この透光性樹脂層２４は、背面側がフレネルレンズ構造を有するもので、その背面にアルミニウム等の金属膜による反射層２３が、蒸着などにより形成されている。この反射層２３は、後述する構造によって凸面鏡として機能するフレネル構造の反射面となっている。その結果、透光性樹脂層２４の正面側から入射した光は、反射層２３によって反射される。その際反射層２３の傾斜角度によって、所定の角度で反射される。
【００１７】
この透光性樹脂層２４の正面側には、光調整層３０が形成される。光調整層３０は、着色インキ層２６を備え、必要に応じて遮光性インキ層２５を含む。まず、遮光性インキ層２５を形成する場合には、透光性樹脂層２４の正面側に遮光性インキ層２５が印刷等によって形成され、遮光性インキ層２５の正面側に着色インキ層２６が印刷等によって形成される。そして、この光調整層３０の正面側に透光性シート層２８が、接着剤２７を介して接着されている。この透光性シート層２８には透光性があればよいが、特には好ましくはＰＥＴ樹脂またはＣＡＢ樹脂が用いられる。遊技領域１２における透光性シート層２８の正面側（表面）は、パチンコの遊技球が転がるため、高い平滑性と強度と耐久性が要求される。そのため、ＰＥＴ（ポリエチレンテレフタレート)樹脂、ＣＡＢ（セルロースアセテートブチレート）樹脂がその条件を満たすものとして好んで用いられるが、ポリカーボネイト樹脂などの他の材質の樹脂に変更して実施することもできる。接着剤２７については、透光性シート層２８の種類と、遮光性インキ層２５、遮光性インキ層２５及び着色インキ層２６との種類に応じて、接着性を考慮して、エポキシ接着剤、紫外線硬化型接着剤等、透光性を有する接着剤を適宜選択して用いることができる。中でも、紫外線硬化型接着剤、即ちＵＶ接着剤は、透明性が高く、本発明の実施には好適に用いることができる。
【００１８】
この化粧板２０は、上記の曲面鏡シート２９と光調整層３０によって多彩で華燭性の高い表現が可能であるが、本発明にあっては、さらに、化粧板２０の一部に、透視部４１を設けることによって、より多彩な表現が可能なようにしたものである。透視部４１の背面側には、ＬＥＤなどの発光体４２を設けるなど、種々の装飾や演出が可能であり、これが透視部４１を通して、表面側から視認される。
【００１９】
（曲面鏡シート２９の詳細）
以上が層構造の概要であるが、曲面鏡シート２９について、さらに詳細に説明する。
曲面鏡シート２９は、前述のように、反射層２３と透光性樹脂層２４とを備えたものであるが、この曲面鏡シート２９により形成される反射鏡は一つではなく、複数（多数）の反射鏡が形成される。
【００２０】
この透光性樹脂層２４は、透光性を有する透明又は半透明の樹脂シートで、その背面側には、フレネルレンズ状の凹凸パターンａ１が形成されている（図３参照）。この凹凸パターンａ１は、曲面鏡シート２９の正面視において、縦及び横に複数が配列されているものであり、具体的には、正面視正方形状の同一形状同一大きさの凹凸パターンａ１が曲面鏡シート２９の縦横に隙間なく配列されているものである。即ち、凹凸パターンａ１は、図４の例では、４つの頂点ａ２、ａ３、ａ４、ａ５で規定される正方形となるが、この凹凸パターンａ１の形状は正方形以外の多角形や円形や楕円形や不定形など、反射鏡が形成できるものであることを条件に変更して実施し得る。また凹凸パターンａ１の配列は、斜め方向に配列してもよく、隙間を設けて配列してもよい。また規則的に配列してもよいし、不規則に配列してもよい。要は、曲面鏡シート２９の正面視において、複数個配列されればよい。
【００２１】
また凹凸パターンａ１は、所定の屈曲角を持った複数の凹凸面が環状に形成されたものであり、全体として一枚の凹レンズが形成される。これらの環状の凹凸面は共通の中心ａ６を有するものであり、望ましくは、同心円状の真円形とするが、多少の誤差は許容されるものであり、また、綺麗なレンズ状となる必要はないため、意図的に曲率を調整したり、全体を円形以外の楕円形や多角形としてもよい。また、凹凸パターンａ１は全て同一パターンであっても良いが、焦点距離、光軸の位置（偏心）等が異なる複数種のパターンを併用することもできる。また連続曲面を有する一枚のレンズ状のものに変更して実施することもできるが、この場合には、正面視の大きさに比して、厚みが大きくなりすぎるため、フレネルレンズ状のものが望ましい。なお、一枚のレンズ状のものや、平面鏡のもの、凸レンズ状のものを混在させることを排除するものではない。
【００２２】
１つの凹凸パターンａ１の区画の大きさは、化粧板２０の全体において、幾つの反射発光部分を形成するかによって決定することができる。例えば、１台のパチンコ遊技機１１における化粧板２０の大きさは、６０cm×５０cm程度であり、これに複数の反射発光部分を形成するには、凹凸パターンａ１の中心間の距離が１０〜４００ｍｍ程度となる様に設計することが望ましい。１０ｍｍよりも小さいと、個々の区画の反射像が小さすぎて十分な反射光を得にくく、他方、４００ｍｍよりも大きいと、反射光の個数が少なく、デザイン上での制限が多くなってしまう。また、レンズの焦点距離（但し、反射層２３による凸面鏡又は凹面鏡としての焦点距離をいう。以下同じ）は適宜設定することができるが、２〜１００ｍｍ程度とすることが望ましい。
【００２３】
なお、区画の最大長さや焦点距離の異なる複数種のフレネルレンズ状凹凸パターンを混在させる場合には、区画の最大長さ、焦点距離又は両者の関係が上記範囲外であるフレネルレンズ状凹凸パターンの区画が混在していてもよい。
【００２４】
この凹凸パターンａ１を備えた透光性樹脂層２４の製法としては、特に限定されるものではなく、２Ｐ（Ｐｈｏｔｏ−ｐｏｌｙｍｅｒ）法やプレス法等の適宜方法によることができものである。重要なことは、次に述べる反射層２３を確実に形成でき、且つ、透明性を備えたものであればよい。なお、透光性樹脂層２４は、完全な透明である必要はなく、着色されてあっても２５％以上、望ましくは５０％以上の透光性を有するものであればよい。
【００２５】
次に反射層２３は金属光沢を備えた反射面として上述の透光性樹脂層２４の背面に形成されるもので、例えば金、銀、アルミニウム、ニッケル、クロム等の金属を、真空蒸着法、スパッタリング法、イオンプレーティング法等の真空製膜法により３０〜３００ｎｍ程度に製膜して形成することができる。これ以外には、金属状光沢を与える誘電体膜（特に多層膜）等でも良く、無電解メッキ法や、金属光沢塗料の塗布など適宜選択できる。反射鏡としての構成は、この反射層２３のみがあれば足りるものであり、透光性樹脂層２４を設けずに実施することも排除するものではない。但し、反射層２３を経済的に量産するには、透光性樹脂層２４の背面側に形成することが望ましい。即ち、この反射層２３を透光性樹脂層２４の背面側に形成することにより、透光性樹脂層２４の凹凸パターンａ１に沿った反射層２３が形成され、それぞれの凹凸パターンａ１に対応した反射鏡セグメントが形成されるものであり、正面視においてａ２、ａ３、ａ４、ａ５の各頂点で規定される正方形が一つの反射鏡セグメントの領域となる。ここで、一つの凹凸パターンａ１が凸レンズである場合には、反射層２３における凹凸パターンａ１に対応した反射鏡セグメントは凹面鏡として形成され、凹凸パターンａ１が凹レンズである場合には、反射層２３における凹凸パターンａ１に対応した反射鏡セグメントは凸面鏡として形成される。
【００２６】
光調整層３０は、化粧板２０の意匠的装飾をなすものであり、遮光性インキ層２５、着色インキ層２６等の少なくとも一層の着色層を形成するもので、その形成方法としては、例えばオフセット印刷法、グラビア印刷法、スクリーン印刷法、ステンシル印刷法、インクジェット印刷法等の各種印刷法や、スプレー塗装法等の各種塗装法、箔押（転写）法、手描き法、フィルムマーキング法等、任意の手法によることができる。図柄の種類は、文字、記号、写真、イラスト、幾何学紋様等、又はそれらの組み合わせ等、適宜選択して実施することができる。遮光性インキ層２５は、前述の曲面鏡シート２９の表面側に着色インキ層２６に先立って配置される。この遮光性インキ層２５には、非透光性のインキを用いることが望ましい。その色彩は自由であるが、遮光性インキ層２５の上に配置される着色インキ層２６の色彩を綺麗に表現するためには、白色や乳白色などの薄い色で均一に着色することが望ましい。着色インキ層２６は、化粧板２０の図柄を表現するもので、今日にあっては、多くの色彩で華麗なデザインが表現される。なお、この遮光性インキ層２５と着色インキ層２６とは、全体のデザインを効果的になすために自由に選択して用いることができる。これは、遮光性インキ層２５を印刷した後に、着色インキ層２６を印刷するが、その図柄によっては遮光性インキ層２５及び着色インキ層２６が施されない箇所が生ずるため、想定される層の組合せは、下記の（１）〜（４）となり、これらの層の組み合わせによって、多彩な表現が可能となる。
【００２７】
（１）曲面鏡シート２９の表面側に遮光性インキ層２５が配位され、この遮光性インキ層２５の表面側に着色インキ層２６が配位される。曲面鏡シート２９による反射光が無いか弱いため、比較的暗い表現となると共に、着色インキ層２６の色彩が視認される。
【００２８】
（２）曲面鏡シート２９の表面側に遮光性インキ層２５が配位されるに止まり、着色インキ層２６が配位されない。曲面鏡シート２９による反射光が無いか弱いため、比較的暗い表現となると共に、遮光性インキ層２５の色彩が視認される。
【００２９】
（３）曲面鏡シート２９の表面側に遮光性インキ層２５が配位されずに、着色インキ層２６が配位される。曲面鏡シート２９による反射光が着色インキ層２６を透過し、着色インキ層２６の色彩が明るく視認され。また、フレネルレンズ状凹凸パターンによって、後ろに発光体が存在するかの如き印象を与えることもできる。
【００３０】
（４）曲面鏡シート２９の表面側に遮光性インキ層２５、着色インキ層２６の何れもが配位されない。曲面鏡シート２９による反射光が最も明るく視認され、後ろに強い発光体が存在するかの如き印象を与えることもできる。
【００３１】
なお、遮光性インキ層２５及び着色インキ層２６のインキの種類は特に限定されるものではなく、インキの色や濃度、着色率、網かけのドット数などによって、全体として所望の透光率を得ることができればよい。化粧板２０の全面に遮光性インキ層２５を印刷してしまうと、曲面鏡シート２９を設けた意味がなくなるため、遮光性インキ層２５は設けないか、一部にのみ設けることになる。
【００３２】
（透視部４１について）
本発明にあっては、曲面鏡シート２９と光調整層３０による多彩な表現を、さらに多彩なものとするために、化粧板２０の一部に、透視部４１を設ける。透視部４１においては、台紙２１を含む曲面鏡シート２９と、光調整層３０とがなく、透光性シート層２８と接着剤２７との透明素材によって構成され、透視部４１の背面側が見えるようにしたものである。図２の例では、支持板３１及び接着剤３２も打ち抜かれて存在せず、化粧板２０の背面側に配置されたＬＥＤなどの発光体４２が表面側から直接視認される。
【００３３】
（製造方法）
この化粧板２０は、印刷工程と、接着工程と、透視部を形成する工程とによって製造される。
印刷工程は、曲面鏡シート２９の正面側に光調整層３０を形成する工程であり、接着工程は、光調整層３０の正面側に透光性シート層２８を接着剤層２７によって貼り付ける工程であり、これらの工程については、前述の説明に従って実施すればよい。
透視部４１を形成する工程は、前工程と後工程とを含む。
この前工程は、接着工程の前に、透視部４１を形成する位置にて、接着剤層２７の正面側に剥離層４４を形成する工程である。後工程は、接着工程の後に、透視部４１を形成する位置にて、化粧板２０の背面側から剥離層４４に達する刃物で、接着剤層２７よりも背面側の部位を取り除く工程である。
より具体的には、後工程として、図３に示すように、この透視部４１は、化粧板２０を背面側から、着色インキ層２６までを、トムソンなどの刃物４８で打ち抜くなどして切除し、背面側開口４３を形成することによって作成される。この切除に際して、従来この種の化粧板２０にあっては、光調整層３０の表面側と透光性シート層２８とが接着剤２７によって強固に接着されているため、綺麗に切除することができない。そのため、前工程として、透視部４１を形成する予定の箇所に、剥離層４４を塗布しておき、その表面側に接着剤２７によって透光性シート層２８を接着する。これによって、背面側から刃物４８を剥離層４４の外周に沿って入れることで、剥離層４４を境に、光調整層３０（着色インキ層２６）の表面側と透光性シート層２８と剥離して、綺麗に取り除くことができる。
【００３４】
本発明者は，この開発に際して、予め貫通孔を形成した曲面鏡シート２９及び光調整層３０を、透光性シート層２８に接着剤２７で接着することを検討した。ところが、ＵＶ接着剤は、透光性シート層２８と光調整層３０との２層間に挟まれた状態で紫外線を照射しなければ硬化しないため、透光性シート層２８の背面全体に接着剤２７を塗布した場合には、透視部４１の部分に塗布された接着剤２７が硬化しない。また、光調整層３０に予め貫通孔を形成し、そのの表面側に接着剤２７を塗布した場合にあっても、接着剤２７が透視部４１内にはみ出してきてしまい、綺麗な接着ができない。そのため、予め曲面鏡シート２９及び光調整層３０に貫通孔を形成せずに、剥離層４４として、ＵＶ接着剤等の接着剤に対する剥離剤を塗布しておくことを検討した。ところが、剥離剤は一般に透明性が低く、黄色等の色が付いたものも多い。他方、上記の切除に際しては、剥離層４４が完全に取り除かれず、その一部が接着剤２７に付着した状態で残ることがある。そのため、剥離層４４の透明性が高くないと、見苦しくなってしまい実用性がない。
【００３５】
本発明者は、鋭意研究の結果、ＵＶ接着剤に対して接着性のない透明インキを剥離層４４として塗布することによって、その一部が残ってしまっても透視部４１の透明性が実質的に低下しないことを知見し、本発明の実用化に成功した。
この透明インキは、インキ皮膜が透明で剥離性を有するインキであることが望ましく、一般にマスキングインキ、ストリッパブルインキ、剥離性レジスト用インキ等の名称で市販されているインキと同様のインキで、インキの樹脂成分が透明なものを用いることができる。このインキは、ＵＶ接着剤に対して、物理的に除去可能な機能を持つことが必要であり、ＵＶ接着剤から容易に剥離することができる。
【００３６】
これらのインキは放射線硬化型インキ、蒸発乾燥型インキ、熱硬化型インキ、プラスチゾルインキ等の種類があり、ＵＶ接着剤に対する剥離性を有するものであれば、何れも使用可能であるが、印刷や剥離の作業性を考慮すると、水性の蒸発乾燥型インキや紫外線硬化型インキを用いるのが望ましい。一例を挙げると、エチレングリコールモノ−ノルマル−ブチルエーテルを樹脂成分とし、銅及び銅化合物を顔料とするスクリーン印刷用水性マスキングインキや、シリカ及び固形パラフィンを含有するＵＶインキを用いることができる。
【００３７】
上記によって透視部４１が形成された化粧板２０には、通常の化粧板と同様に、その背面側に支持板３１が接着剤３２によって貼り付けられる。その際、支持板３１には透視部４１に対応して、空白部を形成することが望ましい。この空白部は、背面側開口部４３と略同じ大きさの貫通孔４５として実施することができ、これによって、背面側の発光体４２の光を透視部４１を通して外部に発光させることができる。なお、化粧板２０に支持板３１を貼り付けた後に、背面側開口部４３と貫通孔４５とを一緒に形成することもできる。空白部としては、貫通孔４５の他、透光性シート層などの透明素材によって構成され、空白部から背面側が見えるようにしたものであってもよい。
上記の発光体４２は、支持板３１に直接又は間接的に支持させてもよく、遊技台１３の他の電子機器などと共に、適宜筐体（図示せず）に配置するなどしもよい。
【００３８】
（装飾手段の例）
このように、透視部４１の背面側を見せることができるため、上記のように、発光体４２の光を外部に通すことができる他、種々の装飾手段を加えることができる。
図５は、透視部４１の背面に、装飾用シート４６を貼り付けたものである。この装飾用シート４６は、印刷が施された合成樹脂シールである。より詳しくは、合成樹脂製の装飾用シート４６の一方の面に塗布された透明粘着剤によって、接着剤２７の背面に貼り付けて用いる。この装飾用シート４６の他方の面には、種々の装飾の図柄が印刷され、この印刷のインキを透視部４１を通して、外部から視認できる。この印刷には種々の印刷方法を採用できるが、ホットスタンプやシルクスクリーンの印刷が好適に用いられる。特に、この印刷インキとして、光拡散性樹脂組成物を含有する拡散インキを用いことで、華燭性を一層向上させることができる。この拡散インキを、従来の着色インキ層２６のインキとして採用したくとも、ＵＶ接着剤を接着剤２７として用いると、光拡散性の凹凸が光拡散性のある凹凸として実質的に作用しなくなるため、光拡散効果が生じない。ところが、上記のように装飾用シート４６として貼り付けることによって、光の拡散性を透視部４１の表面側からも視認できる。この場合、先の例の発光体４２を併用してよいが、支持板３１に貫通孔４５を形成せずに化粧板２０の背面側からの発光はないものとして実施することもできる。なお、装飾用シート４６は背面側開口４３の内周面（光調整層３０の切り口である端面）と隙間なく貼り付けることもできるし、装飾用シート４６と背面側開口４３の内周面との間に空間を設けて、背面側からの光を正面側に漏らすようにしてもよい。デザイン上の観点からは、透視部４１における図柄と、他の部分の図柄とを連続させたものにしてもよく、異なる図柄としてよい。
【００３９】
図６は、透視部４１の背面側に、装飾物４７を配置したものである。この装飾物４７はキャラクター等の種々の立体物で、遊技者などの看者は、透視部４１及び貫通孔４５を通して、装飾物４７を見ることができる。装飾物４７として、ミラーボールなどの光の反射性の高いものや、電動モータなどで動くものを用いることもできる。この装飾物４７は貫通孔４５内に配置してもよく、さらにその支持板３１の背面側に配置してもよい。発光体４２は、先の例と異なり、支持板３１の背面側に配置して、装飾物４７を正面側から照らすようにしたが、これに限らず装飾効果の上がる適宜位置に配置すればよい。また、装飾用シート４６を併用して実施することもできるものであり、各例に示す発光体４２、装飾用シート４６、装飾物４７はそれぞれ併用して実施することができる。
【００４０】
支持板３１は、前述のように、木材で構成してもよいが、合成樹脂で構成してもよい。特に、厚みの大きなＰＥＴ等の透明の合成樹脂板を用いて、これに貫通孔４５を切削形成することもできる。今日透明合成樹脂を射出成型した透過型セルと呼ばれる遊技台１３の基板が用いられるが、金型代など製造にコストがかかりすぎ、多数の遊技台１３に採用されなければ、１台当たりの単価が極めて高いものとなる。ところが、透明の合成樹脂板を用いて、これに貫通孔４５を切削形成することによって、低価格で少量を生産することができる。
【符号の説明】
【００４１】
１１  パチンコ遊技機
１２  遊技領域
１３  遊技台
１４  入賞口
１５  窓部
１６  可変表示部
２０  化粧板
２１  台紙
２２  接着剤
２３  反射層
２４  透光性樹脂層
２５  遮光性インキ層
２６  着色インキ層
２７  接着剤
２８  透光性シート層
２９  曲面鏡シート
３０  光調整層
３１  支持板
３２  接着剤
４１  透視部
４２  発光体
４３  刃物
４４  剥離層
４５  貫通孔
４６  装飾用シート
４７  装飾物
４８  刃物
【図１】
2014079468.tif 000003
【図２】
2014079468.tif 000004
【図３】
2014079468.tif 000005
【図４】
2014079468.tif 000006
【図５】
2014079468.tif 000007
【図６】
2014079468.tif 000008